(57)【要約】【課題】組み立て作業性が向上し、生産性が向上するコンセントを提供する。【解決手段】少なくとも１対以上の差込プラグ接続部１１，１１と、差込プラグ接続部１１，１１への電源供給を遮断する遮断機構部１９とを備え、ＪＩＳ規格で規格化された大角型連用配線器具の取付枠２に固定される３個モジュール寸法に形成される埋込形のコンセント１において、差込プラグ接続部１１，１１をケース１０に収納してコンセントユニット３を形成し、遮断機構部１９をケース１８に収納してブレーカユニット４を形成し、コンセントユニット３とブレーカユニット４とを組み合わせ、取付枠２に取り付けるようにする。【選択図】図１
2007042407.tif 000002
【特許請求の範囲】
【請求項１】
少なくとも１対以上の差込プラグ接続部と、前記差込プラグ接続部への電源供給を遮断する遮断機構部とを備え、ＪＩＳ規格で規格化された大角型連用配線器具の取付枠に固定される３個モジュール寸法に形成される埋込形のコンセントにおいて、前記差込プラグ接続部を備えたコンセントユニットと、前記遮断機構部を備えたブレーカユニットとを組み合わせて構成することを特徴とするコンセント。
【請求項２】
前記コンセントユニットの異常を検出すると前記ブレーカユニットに遮断信号を出力する異常検出回路を実装したプリント基板を備えたアンプユニットを組み合わせて構成することを特徴とする請求項１に記載のコンセント。
【請求項３】
前記各ユニットをベースとカバーとで成る収納ケースに収納し、該収納ケースを前記取付枠に取り付けるようにしたことを特徴とする請求項１又は請求項２の記載のコンセント。
【請求項４】
前記各ユニットをカバーに組み付け、該カバーを前記取付枠に取り付けるようにしたことを特徴とする請求項１又は請求項２に記載のコンセント。
【発明の詳細な説明】
【技術分野】
【０００１】
本発明は、異常時に電路を遮断する遮断機構を備え、取付枠を介して壁面に埋め込んで使用される埋込形のコンセントに関する。
【背景技術】
【０００２】
少なくとも１対以上の差込プラグ接続部と、漏電発生時に差込プラグ接続部への電源供給を遮断する遮断機構部とを備え、ＪＩＳ規格で規格化された大角型連用配線器具の取付枠に固定される３個モジュール寸法に形成される埋込形のコンセントは、カバーとベースとで成る収納ケースのベースに差込プラグ接続部と遮断機構部を直接組み付け、上部をカバーで覆い、収納ケースを取付枠に取り付けていた（例えば、特許文献１参照。）。
【０００３】
【特許文献１】実公昭６２−１４６１９号公報
【発明の開示】
【発明が解決しようとする課題】
【０００４】
このため、従来のコンセントはベースに差込プラグ接続部と遮断機構部を直接組み付けるので組み立て作業性が悪く、従って生産性が悪いという問題があった。
【課題を解決するための手段】
【０００５】
本発明は、請求項１に記載の発明によれば、少なくとも１対以上の差込プラグ接続部と、差込プラグ接続部への電源供給を遮断する遮断機構部とを備え、ＪＩＳ規格で規格化された大角型連用配線器具の取付枠に固定される３個モジュール寸法に形成される埋込形のコンセントにおいて、差込プラグ接続部を備えたコンセントユニットと、遮断機構部を備えたブレーカユニットとを組み合わせて構成することを特徴とする。
【０００６】
請求項２に記載の発明によれば、請求項１に記載のコンセントにおいて、コンセントユニットの異常を検出するとブレーカユニットに遮断信号を出力する異常検出回路を実装したプリント基板を備えたアンプユニットを組み合わせて構成することを特徴とする。
【０００７】
請求項３に記載の発明によれば、請求項１又は請求項２に記載のコンセントにおいて、各ユニットをベースとカバーとで成る収納ケースに収納し、収納ケースを取付枠に取り付けるようにしたことを特徴とする。
【０００８】
請求項４に記載の発明によれば、請求項１又は請求項２に記載のコンセントにおいて、各ユニットをカバーに組み付け、カバーを取付枠に取り付けるようにしたことを特徴とする。
【発明の効果】
【０００９】
本発明は、請求項１に記載の発明によれば、組み立て作業性が向上し、生産性が向上するという効果がある。
【００１０】
請求項２に記載の発明によれば、ユニットの組み合わせを容易に変更できて組み立て作業性が向上し、生産性が向上するという効果がある。
【００１１】
請求項３に記載の発明によれば、外観が向上し、また、組み立て作業性が向上して生産性が向上するという効果がある。
【００１２】
請求項４に記載の発明によれば、外観が向上し、また、組み立て作業性が向上して生産性が向上し、少ない部品点数でユニットを取付枠に取り付けることができるという効果がある。
【発明を実施するための最良の形態】
【００１３】
少なくとも１対以上の差込プラグ接続部と、差込プラグ接続部への電源供給を遮断する遮断機構部とを備え、ＪＩＳ規格で規格化された大角型連用配線器具の取付枠に固定される３個モジュール寸法に形成される埋込形のコンセントにおいて、差込プラグ接続部を備えたコンセントユニットと、遮断機構部を備えたブレーカユニットとを組み合わせて構成する。
【実施例１】
【００１４】
本発明に係るコンセントの実施例１を図１〜図３の添付図面に基づいて説明する。
【００１５】
コンセント１はＪＩＳ規格（日本工業規格）で規格化された大角形連用配線器具の取付枠（ＪＩＳ  Ｃ  ８３７５−１９９２）２と、組み合わせることで取付枠に取付可能な３個モジュール寸法（ＪＩＳ  Ｃ  ８３０３−１９９３）に形成されるコンセントユニット３とブレーカユニット４とで構成している。
【００１６】
コンセントユニット３は、箱状のケース１０の内部に負荷機器の差込プラグ（図示せず）が接続される複数対の差込プラグ接続部１１，１１を収納し、差込プラグ接続部１１，１１と対応する前面に差込プラグの栓刃（図示せず）を挿入するためのプラグ挿入口１２，１２を形成している。また、差込プラグの栓刃間に発生するトラッキングを検出するための検出部１３と、検出部１３からの信号により異常を検出して遮断信号を出力する異常検出回路を実装したプリント基板１４とを備え、検出部１３は差込プラグ接続部１１，１１間に設けられ、プリント基板１４は差込プラグ接続部１１の背部スペースに収納されている。異常検出回路から出力される遮断信号はケース１０の背面から延びる信号線１６を介してブレーカユニット４に伝送されるようになっている。尚、コンセントユニット３は少なくとも１対の差込プラグ接続部１１，１１を備えていれば、アース端子１７などその他の配線器具を組み合わせても良く、組み合わせは適宜に変更することができる。
【００１７】
また、ブレーカユニット４は、箱状のケース１８の内部に遮断信号を受けると図示しない開閉接点を開離して電路を遮断する遮断機構部１９を内部に収納し、前面に遮断機構部１９の開閉接点を開閉操作するための操作ハンドル２０が起倒可能に設けられ、背面に電源線を接続するための差込式の接続端子２１と、治具を差し込むことにより接続端子２１に接続された電源線を解除する解除部２２が設けられている。また、背面から延びる可撓導線２３がコンセントユニット３に接続されて差込プラグ接続部１１，１１に電源を供給するようになっている。
【００１８】
コンセントユニット３とブレーカユニット４は図示しない係合手段により左右に組み合わされ、取付枠２の開口部２ａにこれらのユニットの前面部を嵌めた上で例えばネジ止めやカシメ止めなどの固定手段により固定される。そして、取付枠２の取付孔２ｂを取付ネジ（図示せず）で壁面に埋設されたスイッチボックス（図示せず）に螺着し、取付枠２の前面にフラッシプレート９を装着して設置される。
【００１９】
こうして、設置されたコンセント１はブレーカユニット４の操作ハンドル２０をオンにして使用され、トラッキングが発生するとコンセントユニット３の検出部１３が検出し、検出部１３の検出信号により異常検出回路がトラッキングであると判定すると信号線１６を介してブレーカユニット４へ遮断信号を出力し、ブレーカユニット４の遮断機構部１９は遮断信号を受けると作動して電路を遮断し、操作ハンドル２０はオフするようになっている。
【００２０】
尚、本実施例ではトラッキングを検知して電路を遮断するようになっているが、検出部１３を変更することにより過負荷、漏電、コード短絡、地震などを検知して電路を遮断するようにしても良い。また、１つのブレーカユニット４に複数のコンセントユニット３を接続し、何れのコンセントユニット３で異常が発生しても１つのブレーカユニット４で遮断するように構成することもできる。また、ブレーカユニット４とコンセントユニット３を左右に組み合わせて取付枠２に取り付けるように形成したが、組み合わせた状態でＪＩＳ規格で規格化された大角型連用配線器具の取付枠２に固定できる３個モジュール寸法に形成されれば良いし、ブレーカユニット４とコンセントユニット３の接続方法についても電線接続に限定する必要はなく、例えば、コネクタ接続にするなど接続方法に限定はない。
【実施例２】
【００２１】
本発明に係るコンセントの実施例２を図４〜図６の添付図面に基づいて説明する。
【００２２】
コンセント３１はＪＩＳ規格（日本工業規格）で規格化された大角形連用配線器具の取付枠（ＪＩＳ  Ｃ  ８３７５−１９９２）３２と、組み合わせることで取付枠３２に取付可能な３個モジュール寸法（ＪＩＳ  Ｃ  ８３０３−１９９３）に形成されるコンセントユニット３３とブレーカユニット３４とアンプユニット３５とで構成している。
【００２３】
コンセントユニット３３は、箱状のケース４０の内部に負荷機器の差込プラグ（図示せず）が接続される複数対の差込プラグ接続部４１，４１を収納し、差込プラグ接続部４１，４１と対応する前面に差込プラグの栓刃（図示せず）を挿入接続するためのプラグ挿入口４２，４２を形成している。また、コンセントユニット３３は差込プラグの栓刃間に発生するトラッキングを検出するための検出部４３が差込プラグ接続部４１，４１間に設けられ、検出部４３により検出した信号はケース４０の背面から延びる信号線４５を介してアンプユニット３５に伝送されるようになっている。尚、コンセントユニット３３は少なくとも１対の差込プラグ接続部４１，４１を備えていれば、アース端子４７などその他の配線器具を組み合わせても良く、組み合わせは適宜に変更することができる。
【００２４】
また、ブレーカユニット３４は、箱状のケース４８の内部に遮断信号を受けると図示しない開閉接点を開離して電路を遮断する遮断機構部４９を内部に収納し、前面に遮断機構部４９の開閉接点を開閉操作するための操作ハンドル５０が起倒可能に設けられ、背面に電源線を接続するための差込式の接続端子５１と、治具を差し込むことにより接続端子５１に接続された電源線を解除する解除部５２が設けられている。また、ケース４８の背面から延びる可撓導線５３，５４がコンセントユニットユニット３３とアンプユニット３５に接続されて各ユニットに電源を供給するようになっている。
【００２５】
アンプユニット３５は、箱状のケース５５の内部に検出部４３からの信号により異常を判定して遮断信号を出力する異常検出回路を実装したプリント基板４４を収納し、異常検出回路から出力される遮断信号はケース５５の側面から延びる信号線４６を介してブレーカユニット３４に伝送されるようになっている。
【００２６】
そして、コンセントユニット３３とブレーカユニット３４は係合手段により左右に組み合わされ、アンプユニット３５はコンセントユニット３３の背面に係合手段により組み合わされ、取付枠３２の開口部３２ａにコンセントユニット３３とブレーカユニット３４の前面部を嵌めた上で例えばネジ止めやカシメ止めなどの固定手段により固定される。そして、取付枠３２の取付孔３２ｂを取付ネジ（図示せず）で壁面に埋設されたスイッチボックス（図示せず）に螺着し、取付枠３２の前面にフラッシプレート３９を装着して設置される。
【００２７】
こうして、設置されたコンセント３１はブレーカユニット３４の操作ハンドル５０をオンにして使用され、トラッキングが発生するとコンセントユニット３３の検出部４３が検出し、検出部４３の検出信号によりアンプユニット３５の異常検出回路がトラッキングであると判定すると信号線４６を介してブレーカユニット３４へ遮断信号を出力し、ブレーカユニット３４の遮断機構部３９は遮断信号を受けると作動して電路を遮断し、操作ハンドル５０はオフするようになっている。
【００２８】
尚、本実施例ではトラッキングを検知して電路を遮断するようになっているが、検出部４３を変更することにより過負荷、漏電、コード短絡、地震などを検知して電路を遮断するようにしても良く、トラッキング検出の場合はトラッキングが差込プラグの栓刃間で発生するのでコンセントユニット３３に検出部４３を設けなければならなかったが、過負荷、漏電、コード短絡、地震を検出する場合は検出部４３をコンセントユニット３３に設ける必要はなくアンプユニット３５に収納することができる。これにより、アンプユニット３５を組み替えるだけで任意の機能に容易に変更することができる。
【００２９】
また、１つのブレーカユニット３４とアンプユニット３５に複数のコンセントユニット３３を接続し、何れのコンセントユニット３３で異常が発生しても１つのブレーカユニット３４で遮断するように構成することもできる。また、ブレーカユニット３４とコンセントユニット３３を左右に組み合わせて取付枠３２に取り付けるように形成したが、３つのユニットを組み合わせた状態でＪＩＳ規格で規格化された大角型連用配線器具の取付枠３２に固定できる３個モジュール寸法に形成されれば良いし、コンセントユニット３３とブレーカユニット３４とアンプユニット３５の接続方法についても電線接続に限定する必要はなく、例えば、コネクタ接続にするなど接続方法に限定はない。
【実施例３】
【００３０】
本発明に係るコンセントの実施例３を図７〜図１０の添付図面に基づいて説明する。
【００３１】
コンセント６１はＪＩＳ規格（日本工業規格）で規格化された大角形連用配線器具の取付枠（ＪＩＳ  Ｃ  ８３７５−１９９２）６２と、この取付枠６２に取付可能な３個モジュール寸法（ＪＩＳ  Ｃ  ８３０３−１９９３）に形成されて内部にコンセントユニット６３とブレーカユニット６４を収納するカバー６６とベース６７から成る樹脂製の収納ケース６８とで構成している。
【００３２】
コンセントユニット６３は、前面を開口した箱状のケース７０の内部に負荷機器の差込プラグ（図示せず）が接続される複数対の差込プラグ接続部７１，７１を収納している。また、差込プラグの栓刃間に発生するトラッキングを検出するための検出部７３と、検出部７３からの信号により異常を検出して遮断信号を出力する異常検出回路を実装したプリント基板７４とを備え、検出部７３は差込プラグ接続部７１，７１間に設けられ、プリント基板７４は差込プラグ接続部７１の背部スペースに収納されている。検出部７３により検出した信号は信号線７５を介してプリント基板７４の異常検出回路に伝送され、異常検出回路から出力される遮断信号はケース７０の側面から延びる信号線７６を介してブレーカユニット６４に伝送されるようになっている。尚、コンセントユニット６３は少なくとも１対の差込プラグ接続部７１，７１を備えていれば、アース端子７７などその他の配線器具を組み合わせても良く、組み合わせは適宜に変更することができる。
【００３３】
また、ブレーカユニット６４は、箱状のケース７８の内部に遮断信号を受けると図示しない開閉接点を開離して電路を遮断する遮断機構部７９を収納し、前面に遮断機構部７９の開閉接点を開閉操作するための操作ハンドル８０が起倒可能に設けられ、背面に電源線を接続するための差込式の接続端子８１と、治具を差し込むことにより接続端子８１に接続された電源線を解除する解除部８２が設けられている。また、ケース７８の側面から延びる可撓導線８３がコンセントユニット６３に接続されて電源を供給するようになっている。
【００３４】
収納ケース６８のカバー６６は、コンセントユニット６３の差込プラグ接続部７１，７１と対向する位置に負荷機器の差込プラグの栓刃（図示せず）を挿入接続するためのプラグ挿入口６６ａ，６６ａが形成され、ブレーカユニット６４の操作ハンドル８０と対向する位置に操作ハンドル８０を露出する操作窓６６ｂが形成されている。ベース６７はコンセントユニット６３の接続端子８１と対向する位置に接続孔６７ａと、解除部８２と対向する位置に解除孔６７ｂが形成されている。
【００３５】
コンセントユニット６３とブレーカユニット６４は収納ケース６８のベース６７に左右に並べて嵌め込まれ、ベース６７にカバー６６を取り付けて取付枠６２の開口部６２ａに収納ケース６８の前面部を嵌めた上で例えばネジ止めやカシメ止めなどの固定手段により固定される。そして、取付枠６２の取付孔６２ｂを取付ネジ（図示せず）で壁面に埋設されたスイッチボックス（図示せず）に螺着し、取付枠６２の前面にフラッシプレート６９を装着して設置される。
【００３６】
こうして、設置されたコンセント６１はブレーカユニット６４の操作ハンドル８０をオンにして使用され、トラッキングが発生するとコンセントユニット６３の検出部７３が検出し、検出部７３の検出信号により異常検出回路がトラッキングであると判定すると信号線７６を介してブレーカユニット６４へ遮断信号を出力し、ブレーカユニット６４の遮断機構部７９は遮断信号を受けると作動して電路を遮断し、操作ハンドル８０はオフするようになっている。
【００３７】
尚、本実施例ではトラッキングを検知して電路を遮断するようになっているが、検出部７３を変更することにより過負荷、漏電、コード短絡、地震などを検知して電路を遮断するようにしても良い。また、１つのブレーカユニット６４に複数のコンセントユニット６３を接続し、何れのコンセントユニット６３で異常が発生しても１つのブレーカユニット６４で遮断するように構成することもできる。また、ブレーカユニット６４とコンセントユニット６３を左右に組み合わせて収納ケース６８に収納するようにしたが、各ユニットの機能が使用できるように収納ケース６８に収納されれば配置に限定はないし、ブレーカユニット６４とコンセントユニット６３の接続方法についても電線接続に限定する必要はなく、例えば、コネクタ接続にするなど接続方法に限定はない。
【実施例４】
【００３８】
本発明に係るコンセントの実施例４を図１１〜図１４の添付図面に基づいて説明する。
【００３９】
コンセント９１はＪＩＳ規格（日本工業規格）で規格化された大角形連用配線器具の取付枠（ＪＩＳ  Ｃ  ８３７５−１９９２）９２と、この取付枠９２に取付可能な３個モジュール寸法（ＪＩＳ  Ｃ  ８３０３−１９９３）に形成されて内部にコンセントユニット９３とブレーカユニット９４とアンプユニット９５を収納するカバー９６とベース９７から成る樹脂製の収納ケース９８とで構成している。
【００４０】
コンセントユニット９３は、前面を開口した箱状のケース１００の内部に負荷機器の差込プラグ（図示せず）が接続される複数対の差込プラグ接続部１０１，１０１を収納している。また、差込プラグの栓刃間に発生するトラッキングを検出するための検出部１０３が差込プラグ接続部１０１，１０１間に設けられ、検出部１０３により検出した信号はケース１００の背面から延びる信号線１０５を介してアンプユニット９５に伝送されるようになっている。尚、コンセントユニット９３は少なくとも１対の差込プラグ接続部１０１，１０１を備えていれば、アース端子１０７などその他の配線器具を組み合わせても良く、組み合わせは適宜に変更することができる。
【００４１】
また、ブレーカユニット９４は、箱状のケース１０８の内部に遮断信号を受けると図示しない開閉接点を開離して電路を遮断する遮断機構部１０９を収納し、前面に遮断機構部１０９の開閉接点を開閉操作するための操作ハンドル１１０が起倒可能に設けられ、背面に電源線を接続するための差込式の接続端子１１１と、治具を差し込むことにより接続端子１１１に接続された電源線を解除する解除部１１２が設けられている。また、ケース１０８の側面から延びる可撓導線１１３，１１４がコンセントユニットユニット９３とアンプユニット９５に接続されて各ユニットに電源を供給するようになっている。
【００４２】
アンプユニット９５は、箱状のケース１１５の内部に検出部１０３からの信号により異常を判定して遮断信号を出力する異常検出回路を実装したプリント基板１０４を収納し、異常検出回路から出力される遮断信号はケース１１５の側面から延びる信号線１０６を介してブレーカユニット９４に伝送されるようになっている。
【００４３】
収納ケース９８のカバー９６は、コンセントユニット９３の差込プラグ接続部１０１，１０１と対向する位置に負荷機器の差込プラグの栓刃（図示せず）を挿入接続するためのプラグ挿入口９６ａ，９６ａが形成され、ブレーカユニット９４の操作ハンドル１１０と対向する位置に操作ハンドル１１０を露出する操作窓９６ｂが形成されている。ベース９７はコンセントユニット９３の接続端子１１１と対向する位置に接続孔９７ａと、解除部１１３と対向する位置に解除孔９７ｂが形成されている。
【００４４】
収納ケース９８はベース９７にアンプユニット９５を嵌めた後、アンプユニット９５の前部にコンセントユニット９３とブレーカユニット９４を左右に並べて嵌め入れ、ベース９７にカバー９６を取り付けて取付枠９２の開口部９２ａに収納ケース９８の前面部を嵌めた上で例えばネジ止めやカシメ止めなどの固定手段により固定される。そして、取付枠９２の取付孔９２ｂを取付ネジ（図示せず）で壁面に埋設されたスイッチボックス（図示せず）に螺着し、取付枠９２の前面にフラッシプレート９９を装着して設置される。
【００４５】
こうして、設置されたコンセント９１はブレーカユニット９４の操作ハンドル１１０をオンにして使用され、トラッキングが発生するとコンセントユニット９３の検出部１０３が検出し、検出部１０３の検出信号により異常検出回路がトラッキングであると判定すると信号線１０６を介してブレーカユニット９４へ遮断信号を出力し、ブレーカユニット９４の遮断機構部１０９は遮断信号を受けると作動して電路を遮断し、操作ハンドル１１０はオフするようになっている。
【００４６】
尚、本実施例ではトラッキングを検知して電路を遮断するようになっているが、検出部１０３を変更することにより過負荷、漏電、コード短絡、地震などを検知して電路を遮断するようにしても良い。また、１つのブレーカユニット９４とアンプユニット９５に複数のコンセントユニット９３を接続し、何れのコンセントユニット９３で異常が発生しても１つのブレーカユニット９４で遮断するように構成することもできる。また、ブレーカユニット９４とコンセントユニット９３とアンプユニット９５は各機能が使用できるように収納ケース９８に収納されれば配置に限定はないし、コンセントユニット９３とブレーカユニット９４とアンプユニット３５の接続方法についても電線接続に限定する必要はなく、例えば、コネクタ接続にするなど接続方法に限定はない。
【実施例５】
【００４７】
本発明に係るコンセントの実施例５を図１５〜図１８の添付図面に基づいて説明する。
【００４８】
コンセント１２１はＪＩＳ規格（日本工業規格）で規格化された大角形連用配線器具の取付枠（ＪＩＳ  Ｃ  ８３７５−１９９２）１２２と、この取付枠１２２に取付可能な３個モジュール寸法（ＪＩＳ  Ｃ  ８３０３−１９９３）に形成されてコンセントユニット１２３とブレーカユニット１２４が組み付けられるカバー１２６とで構成している。
【００４９】
コンセントユニット１２３は、前面を開口した箱状のケース１３０の内部に負荷機器の差込プラグが接続される複数対の差込プラグ接続部１３１，１３１を収納している。また、差込プラグの栓刃間に発生するトラッキングを検出するための検出部１３３と、検出部１３３からの信号により異常を検出して遮断信号を出力する異常検出回路を実装したプリント基板１３４とを備え、検出部１３３は差込プラグ接続部１３１，１３１間に設けられ、プリント基板１３４は差込プラグ接続部１３１の背部スペースに収納されている。検出部１３３により検出した信号は信号線１３５を介してプリント基板１３４の異常検出回路に伝送され、異常検出回路から出力される遮断信号はケース１３０の側面から延びる信号線１３６を介してブレーカユニット１２４に伝送されるようになっている。尚、コンセントユニット１２３は少なくとも１対の差込プラグ接続部１３１，１３１を備えていれば、アース端子１３７などその他の配線器具を組み合わせても良く、組み合わせは適宜に変更することができる。
【００５０】
また、ブレーカユニット１２４は、箱状のケース１３８の内部に遮断信号を受けると図示しない開閉接点を開離して電路を遮断する遮断機構部１３９を収納し、前面に遮断機構部１３９の開閉接点を開閉操作するための操作ハンドル１４０が起倒可能に設けられ、背面に電源線を接続するための差込式の接続端子１４１と、治具を差し込むことにより接続端子１４１に接続された電源線を解除する解除部１４２が設けられている。また、ケース１３８の側面から延びる可撓導線１４３がコンセントユニット１２３に接続されて電源を供給するようになっている。
【００５１】
カバー１２６は、コンセントユニット１２３の差込プラグ接続部１３１，１３１と対向する位置に負荷機器の差込プラグの栓刃（図示せず）を挿入接続するためのプラグ挿入口１２６ａ，１２６ａが形成され、ブレーカユニット１２４の操作ハンドル１４０と対向する位置に操作ハンドル１４０を露出する操作窓１２６ｂが形成されている。
【００５２】
コンセントユニット１２３とブレーカユニット１２４はカバー１２６に係合手段により組み付けられ、取付枠１２２の開口部１２２ａにカバー１２６を嵌めた上で例えばネジ止めやカシメ止めなどの固定手段により固定される。そして、取付枠１２２の取付孔１２２ｂを取付ネジ（図示せず）で壁面に埋設されたスイッチボックス（図示せず）に螺着し、取付枠１２２の前面にフラッシプレート１２９を装着して設置される。
【００５３】
こうして、設置されたコンセント１２１はブレーカユニット１２４の操作ハンドル１４０をオンにして使用され、トラッキングが発生するとコンセントユニット１２３の検出部１３３が検出し、検出部１３３の検出信号により異常検出回路がトラッキングであると判定すると信号線１３６を介してブレーカユニット１２４へ遮断信号を出力し、ブレーカユニット１２４の遮断機構部１３９は遮断信号を受けると作動して電路を遮断し、操作ハンドル１４０はオフするようになっている。
【００５４】
尚、本実施例ではトラッキングを検知して電路を遮断するようになっているが、検出部１３３を変更することにより過負荷、漏電、コード短絡、地震などを検知して電路を遮断するようにしても良い。また、１つのブレーカユニット１２４に複数のコンセントユニット１２３を接続し、何れのコンセントユニット１２３で異常が発生しても１つのブレーカユニット１２４で遮断するように構成することもできる。また、ブレーカユニット１２４とコンセントユニット１２３は各機能が使用できれば配置に限定はないし、ブレーカユニット１２４とコンセントユニット１２３の接続方法についても電線接続に限定する必要はなく、例えば、コネクタ接続にするなど接続方法に限定はない。
【実施例６】
【００５５】
本発明に係るコンセントの実施例６を図１９及び図２２の添付図面に基づいて説明する。
【００５６】
コンセント１５１はＪＩＳ規格（日本工業規格）で規格化された大角形連用配線器具の取付枠（ＪＩＳ  Ｃ  ８３７５−１９９２）１５２と、この取付枠１５２に取付可能な３個モジュール寸法（ＪＩＳ  Ｃ  ８３０３−１９９３）に形成されてコンセントユニット１５３とブレーカユニット１５４とアンプユニット１５５が組み付けられるカバー１５６とで構成している。
【００５７】
コンセントユニット１５３は、前面を開口した箱状のケース１６０の内部に負荷機器の差込プラグ（図示せず）が接続される複数対の差込プラグ接続部１６１，１６１を収納している。また、差込プラグの栓刃間に発生するトラッキングを検出するための検出部１６３が差込プラグ接続部１６１，１６１間に設けられ、検出部１０３により検出した信号はケース１６０の背面から延びる信号線１６５を介してアンプユニット１５５に伝送されるようになっている。尚、コンセントユニット１５３は少なくとも１対の差込プラグ接続部１６１，１６１を備えていれば、アース端子１６７などその他の配線器具を組み合わせても良く、組み合わせは適宜に変更することができる。
【００５８】
また、ブレーカユニット１５４は、箱状のケース１６８の内部に遮断信号を受けると図示しない開閉接点を開離して電路を遮断する遮断機構部１６９を収納し、前面に遮断機構部１６９の開閉接点を開閉操作するための操作ハンドル１７０が起倒可能に設けられ、背面に電源線を接続するための差込式の接続端子１７１と、治具を差し込むことにより接続端子１７１に接続された電源線を解除する解除部１７２が設けられている。また、ケース１６８の側面から延びる可撓導線１７３，１７４がコンセントユニットユニット１５３とアンプユニット１５５に接続されて各ユニットに電源を供給するようになっている。
【００５９】
アンプユニット１５５は、箱状のケース１７５の内部に検出部１６３からの信号により異常を判定して遮断信号を出力する異常検出回路を実装したプリント基板１６４を収納し、異常検出回路から出力される遮断信号はケース１７５の側面から延びる信号線１６６を介してブレーカユニット１５４に伝送されるようになっている。
【００６０】
カバー１５６は、コンセントユニット１５３の差込プラグ接続部１６１，１６１と対向する位置に負荷機器の差込プラグの栓刃（図示せず）を挿入接続するためのプラグ挿入口１５６ａ，１５６ａが形成され、ブレーカユニット１５４の操作ハンドル１７０と対向する位置に操作ハンドル１７０を露出する操作窓１５６ｂが形成されている。
【００６１】
コンセントユニット１５３とブレーカユニット１５４はカバー１５６に係合手段により組み付けられ、アンプユニット１５５はコンセントユニット１５３の背面に係合手段により組み付けられる。そして、この各ユニットが組み付けられたカバー１５５は取付枠１５２の開口部１５２ａに嵌めた上で例えばネジ止めやカシメ止めなどの固定手段により固定され、取付枠１５２の取付孔１５２ｂを取付ネジ（図示せず）で壁面に埋設されたスイッチボックス（図示せず）に螺着し、取付枠１５２の前面にフラッシプレート１５９を装着して設置される。
【００６２】
こうして、設置されたコンセント１５１はブレーカユニット１５４の操作ハンドル１７０をオンにして使用され、トラッキングが発生するとコンセントユニット１５１の検出部１６３が検出し、検出部１６３の検出信号により異常検出回路がトラッキングであると判定すると信号線１６６を介してブレーカユニット１５４へ遮断信号を出力し、ブレーカユニット１５４の遮断機構部１６９は遮断信号を受けると作動して電路を遮断し、操作ハンドル１７０はオフするようになっている。
【００６３】
尚、本実施例ではトラッキングを検知して電路を遮断するようになっているが、検出部１６３を変更することにより過負荷、漏電、コード短絡、地震などを検知して電路を遮断するようにしても良い。また、１つのブレーカユニット１５４とアンプユニット１５５に複数のコンセントユニット１５３を接続し、何れのコンセントユニット１５３で異常が発生しても１つのブレーカユニット１５４で遮断するように構成することもできる。また、コンセントユニット１５３とブレーカユニット１５４とアンプユニット１５５は各機能が使用できるようにカバーに取り付けられれば配置に限定はないし、コンセントユニット１５３とブレーカユニット１５４とアンプユニット１５５の接続方法についても電線接続に限定する必要はなく、例えば、コネクタ接続にするなど接続方法に限定はない。
【図面の簡単な説明】
【００６４】
【図１】本発明の実施例１に係るコンセントを示し、（ａ）は正面図、（ｂ）は底面図、（ｃ）は右側面図である。
【図２】本発明の実施例１に係るコンセントを示す背面図である。
【図３】本発明の実施例１に係るコンセントにフラッシプレートを取り付けた状態の正面図である。
【図４】本発明の実施例２に係るコンセントを示し、（ａ）は正面図、（ｂ）は底面図、（ｃ）は右側面図である。
【図５】本発明の実施例２に係るコンセントを示す背面図である。
【図６】本発明の実施例２に係るコンセントにフラッシプレートを取り付けた状態の正面図である。
【図７】本発明の実施例３に係るコンセントを示し、（ａ）は正面図、（ｂ）は底面図、（ｃ）は右側面図である。
【図８】本発明の実施例３に係るコンセントを示す背面図である。
【図９】図７のＡ−Ａ線断面図である。
【図１０】本発明の実施例３に係るコンセントにフラッシプレートを取り付けた状態の正面図である。
【図１１】本発明の実施例４に係るコンセントを示し、（ａ）は正面図、（ｂ）は底面図、（ｃ）は右側面図である。
【図１２】本発明の実施例４に係るコンセントを示す背面図である。
【図１３】図１１のＢ−Ｂ線断面図である。
【図１４】本発明の実施例４に係るコンセントにフラッシプレートを取り付けた状態の正面図である。
【図１５】本発明の実施例５に係るコンセントを示し、（ａ）は正面図、（ｂ）は底面図、（ｃ）は右側面図である。
【図１６】本発明の実施例５に係るコンセントを示す背面図である。
【図１７】図１５のＣ−Ｃ線断面図である。
【図１８】本発明の実施例５に係るコンセントにフラッシプレートを取り付けた状態の正面図である。
【図１９】本発明の実施例６に係るコンセントを示し、（ａ）は正面図、（ｂ）は底面図、（ｃ）は右側面図である。
【図２０】本発明の実施例６に係るコンセントを示す背面図である。
【図２１】図１５のＣ−Ｃ線断面図である。
【図２２】本発明の実施例６に係るコンセントにフラッシプレートを取り付けた状態の正面図である。
【符号の説明】
【００６５】
１    コンセント
２    取付枠
３    コンセントユニット
４    ブレーカユニット
１０  ケース
１１    差込プラグ接続部
１３    検出部
１４    プリント基板
１８    ケース
１９    遮断機構部
【図１】
2007042407.tif 000003
【図２】
2007042407.tif 000004
【図３】
2007042407.tif 000005
【図４】
2007042407.tif 000006
【図５】
2007042407.tif 000007
【図６】
2007042407.tif 000008
【図７】
2007042407.tif 000009
【図８】
2007042407.tif 000010
【図９】
2007042407.tif 000011
【図１０】
2007042407.tif 000012
【図１１】
2007042407.tif 000013
【図１２】
2007042407.tif 000014
【図１３】
2007042407.tif 000015
【図１４】
2007042407.tif 000016
【図１５】
2007042407.tif 000017
【図１６】
2007042407.tif 000018
【図１７】
2007042407.tif 000019
【図１８】
2007042407.tif 000020
【図１９】
2007042407.tif 000021
【図２０】
2007042407.tif 000022
【図２１】
2007042407.tif 000023
【図２２】
2007042407.tif 000024